(57)【要約】【課題】表紙を見せた状態で書籍を陳列できる棚を提供する。【解決手段】棚１は、互いに略平行に配置された複数の仕切板２と、仕切板２の前面端部２Ａから仕切板２の後面端部２Ｂに向けて下方に傾斜し、仕切板２の前面端部２Ａと略直角をなす状態で仕切板２の間に架け渡されると共に、上方端部３Ａが仕切板２の前面端部２Ａよりも前方に位置する複数の棚板３と、棚板３の下方端部３Ｂ側に配置された複数の止め板４を備える。棚板３は、仕切板２の前面端部２Ａと略直角をなす状態であり、棚板３の上方端部３Ａが仕切板２の前面端部２Ａよりも前方に位置しているので、前面端部２Ａの前方に、本を前面端部２Ａに立て掛けることができる立て掛け領域１０が形成される。複数の棚板３は互いに略平行に配置され、止め板４の高さは、棚板３の間の間隔よりも小さい。【選択図】図１
2013022023.tif 000002
【特許請求の範囲】
【請求項１】
互いに略平行に配置された複数の第１の部材と、
該第１の部材の前面端部から同第１の部材の後面端部に向けて下方に傾斜し、前記第１の部材の前面端部と略直角をなす状態で前記第１の部材の間に架け渡されると共に、上方端部が前記第１の部材の前面端部よりも前方に位置する第２の部材と、
該第２の部材の下方端部側に配置された第３の部材とを備える
棚。
【請求項２】
複数の前記第２の部材が互いに略平行に配置され、
前記第３の部材の高さは、前記第２の部材の間の間隔よりも小さい
請求項１に記載の棚。
【請求項３】
前記第１の部材、前記第２の部材及び前記第３の部材は、着脱自在に連結されている
請求項１または請求項２に記載の棚。
【請求項４】
前記第１の部材の間に形成された空間に配置されたときに、略水平である支持面を有する第４の部材を備える
請求項１〜３のいずれか１つに記載の棚。
【請求項５】
前記第１の部材は、前面端部に対して略直角であると共に、前記第２の部材が着脱可能に嵌合する第１の切込み部と、
該第１の切込み部に対して略直角であると共に、前記第３の部材が着脱可能に嵌合する第２の切込み部とを有する
請求項１〜４のいずれか１つに記載の棚。
【発明の詳細な説明】
【技術分野】
【０００１】
本発明は棚に関する。詳しくは、例えば書籍を載せる棚に係るものである。
【背景技術】
【０００２】
棚は、物を収納するための構造物、あるいは家具であり、書籍や雑誌などを収納するための棚は本棚あるいは書棚と呼ばれている。
【０００３】
一般の書棚は、最上段の天板と、最下段の底板と、それらを両脇で固定する側板と、本が載せられる棚板を備える。また、本を出し入れする前面側の反対側（後面側）の一面は、背板で塞がれているのが一般的だが、背板が付けられていない書棚もある。
【０００４】
また、図書館等で使用される書棚は、多数の書籍が載せられるため、充分な耐荷重強度と剛性が要求されており、例えば特許文献１には、図１１に示される書棚が記載されている。
【０００５】
即ち、特許文献１に記載された書棚１０１は、床面に立設された左右１対の側板１０２と、それらの対向面の前後方向の中央部に固定された連結体１０３と、最上段の棚板を兼ねる上面板１０４と、両側板１０２における連結体１０３を挟む前後の対向面により支持された、同じ大きさの上下複数段の棚板１０５とを備える。
【０００６】
また、書棚１０１の左右の側板１０２における下端部の対向面には、左右方向を向く前後１対の横連結杆１０８の両側端が、それぞれ、側板１０２の外側面より挿入したネジにより固着されている。
また、両側板１０２の外側面には、側板と同じ大きさの化粧側板１１０が、側板１０２の内側面より挿入した複数のネジ１１１により螺着されている。
【先行技術文献】
【特許文献】
【０００７】
【特許文献１】特開２００９−１０６６９３号公報
【発明の概要】
【発明が解決しようとする課題】
【０００８】
しかしながら、特許文献１に記載された書棚では、背表紙がほとんどなく表紙を見ないと何の本なのか識別できない、楽譜などの本を識別できるようにする工夫が成されておらず、このような工夫が成された書棚が求められていた。
【０００９】
本発明は、以上の点に鑑みて創案されたものであり、前面に物品を安定して展示できると共に展示した物品を効果的に見せることができる棚を提供することを目的とする。
【課題を解決するための手段】
【００１０】
上記の目的を達成するために、本発明の棚は、互いに略平行に配置された複数の第１の部材と、第１の部材の前面端部から第１の部材の後面端部に向けて下方に傾斜し、第１の部材の前面端部と略直角をなす状態で第１の部材の間に架け渡されると共に、上方端部が第１の部材の前面端部よりも前方に位置する第２の部材と、第２の部材の下方端部側に配置された第３の部材とを備える。
【００１１】
ここで、第２の部材が、第１の部材の前面端部から第１の部材の後面端部に向けて下方に傾斜しているので、最下段の物品例えば本の背表紙まではっきり見えて確認しやすいと共に、最下段の本を出し入れしやすい。
【００１２】
また、第２の部材は、上方端部が第１の部材の前面端部よりも前方に位置するので、表表紙を見せた状態で本の下部を第２の部材に置き、裏表紙を第１の部材の前面端部に寄り掛けて本を立て掛けることができ、また、第２の部材は、第１の部材の前面端部と略直角をなす状態で第１の部材の間に架け渡されるので、立て掛けた本が安定する。
【００１３】
また、第２の部材の下方端部側に配置された第３の部材によって、第２の部材に載せられた本が第２の部材の下方端部から落下することを防止できる。
【００１４】
また、本発明の棚において、複数の第２の部材が互いに略平行に配置され、第３の部材の高さは、第２の部材の間の間隔よりも小さい場合、棚の前面側と後面側の両面側に開口部が形成された状態になるので、棚を通して向こう側を見ることができ、開放的であり、圧迫感を与えにくい。
【００１５】
また、本発明の棚において、第１の部材、第２の部材及び第３の部材が、着脱自在に連結されている場合、棚を運ぶ時に分解して運び、再度、組み立てることができる。
【００１６】
また、本発明の棚は、第１の部材の間に形成された空間に配置されたときに、略水平である支持面を有する第４の部材を備える場合、例えば植木鉢などを第４の部材に置いて楽しむことができる。
【００１７】
また、本発明の棚において、第１の部材は、前面端部に対して略直角であると共に、第２の部材が着脱可能に嵌合する第１の切込み部と、第１の切込み部に対して略直角であると共に、第３の部材が着脱可能に嵌合する第２の切込み部とを有するものとすることができる。
【００１８】
この場合、第１の部材の第１の切込み部と第２の切込み部に、第２の部材と第３の部材をそれぞれ嵌め込んだり、取外したりするだけで、棚の組立と分解が可能である。
【発明の効果】
【００１９】
本発明に係る棚は、前面に物品を安定して展示できると共に展示した物品を効果的に見せることができる。
【図面の簡単な説明】
【００２０】
【図１】本発明の棚の一例を示す概略斜視図である。
【図２】本発明の棚の概略正面図である。
【図３】図２のＡ−Ａ線に沿った概略断面図である。
【図４】本発明の棚に用いられる仕切板の一例を示す概略図である。
【図５】本発明の棚に用いられる棚板（ａ）と止め板（ｂ）の一例を示す概略図である。
【図６】本発明の棚の側面同士の連結の一例を示す概略図である。
【図７】本発明の棚に水平板を取付けた状態を示す概略断面図である。
【図８】本発明の棚の他の例を示す概略断面図である。
【図９】本発明の棚をキャビネット上に設置した状態を示す概略図である。
【図１０】本発明の棚にＣＤラックを取付けた状態を示す概略図である。
【図１１】従来の書棚の概略斜視図である。
【発明を実施するための形態】
【００２１】
以下、本発明の実施の形態について図面を参照しながら説明し、本発明の理解に供する。
図１は、本発明の棚の一例を示す概略斜視図である。また、図２は、本発明の棚の概略正面図である。さらに、図３は、図２のＡ−Ａ線に沿った概略断面図である。
【００２２】
本発明の棚１は、互いに略平行に配置された複数の仕切板（第１の部材の一例である。）２を備える。また、仕切板２と仕切板２の間の距離は、１５０〜２４０ｍｍである。
【００２３】
また、本発明の棚１は、仕切板２の前面端部２Ａから仕切板２の後面端部２Ｂに向けて下方に傾斜し、仕切板２の前面端部２Ａと略直角をなす状態で仕切板２の間に架け渡されると共に、上方端部３Ａが仕切板２の前面端部２Ａよりも前方に位置する複数の棚板（第２の部材の一例である。）３を備える。
【００２４】
ここで、棚板３の上方端部３Ａが仕切板２の前面端部２Ａよりも前方に位置しているので、図１や図３に示すように、前面端部２Ａの前方に、本を前面端部２Ａに立て掛けて展示することができる立て掛け領域１０が形成される。
【００２５】
なお、従前の書棚において、本を展示しようとすると、例えばウェブサイト（ＵＲＬ：www.store-express.com/CGI/shopping/product_detail.cgi?ctg_cd=001019003&unit_id=11-391-2）に示されているような所定什器（ブックディスプレー）を必要としていた。
【００２６】
また、本発明の棚１は、棚板３の下方端部３Ｂ側に配置された複数の止め板（第３の部材の一例である。）４を備える。
また、例えば図３に示すように、止め板４は、棚板３と略直角をなす状態で配置されている。
【００２７】
また、複数の棚板３は互いに略平行に配置され、止め板４の高さは、棚板３の間の間隔よりも小さい。
【００２８】
このような構成により、２つの仕切板２と、棚板３と、止め板４とで形成された空間が、升目状に複数存在することになる。
【００２９】
ここで、本発明の棚が、互いに略平行に配置された複数の第１の部材と、第１の部材の前面端部から第１の部材の後面端部に向けて下方に傾斜し、第１の部材の前面端部と略直角をなす状態で第１の部材の間に架け渡されると共に、上方端部が第１の部材の前面端部よりも前方に位置する第２の部材と、第２の部材の下方端部側に配置された第３の部材とを備えるのであれば、必ずしも第１の部材（仕切板）と第１の部材（仕切板）の間の距離は、１５０〜２４０ｍｍでなくてもよい。
【００３０】
しかし、第１の部材と第１の部材の間の距離が１５０ｍｍ未満の場合、第１の部材が多くなって棚が重くなり、また、２４０ｍｍを超える場合、自立しない薄い本を１冊しか載せないと倒れてしまうので、１５０〜２４０ｍｍであることが好ましい。
【００３１】
また、本発明の棚が、互いに略平行に配置された複数の第１の部材と、第１の部材の前面端部から第１の部材の後面端部に向けて下方に傾斜し、第１の部材の前面端部と略直角をなす状態で第１の部材の間に架け渡されると共に、上方端部が第１の部材の前面端部よりも前方に位置する第２の部材と、第２の部材の下方端部側に配置された第３の部材とを備えるのであれば、必ずしも第３の部材（止め板）の高さは、互いに略平行に配置された複数の第２の部材（棚板）の間の間隔よりも小さくなくてもよい。
【００３２】
しかし、第３の部材の高さが、互いに略平行に配置された複数の第２の部材の間の間隔よりも小さければ、棚の前面側と後面側の両面側に開口部が形成された状態になるので、棚を通して向こう側を見ることができ、開放的であり、圧迫感を与えにくいので好ましい。
【００３３】
図４は、本発明の棚に用いられる仕切板の一例を示す概略図である。
図４に示すように、仕切板２は、前面端部２Ａに対して略直角であると共に、棚板３が着脱可能に嵌合する複数の第１の切込み部２Ｄと、第１の切込み部２Ｄに対して略直角であると共に、止め板４が着脱可能に嵌合する複数の第２の切込み部２Ｅとを有する。
【００３４】
ここで、仕切板２は、複数の第２の切込み部２Ｅを有するが、仕切板２の間に形成された１つの空間当たり、第２の切込み部２Ｅは１つである。
【００３５】
複数の第１の切込み部２Ｄそれぞれに、棚板３が着脱可能に嵌合し、そして、複数の第２の切込み部２Ｅそれぞれに、止め板４が着脱可能に嵌合することで、図３のような状態となる。
【００３６】
ここで、本発明の棚が、互いに略平行に配置された複数の第１の部材と、第１の部材の前面端部から第１の部材の後面端部に向けて下方に傾斜し、第１の部材の前面端部と略直角をなす状態で第１の部材の間に架け渡されると共に、上方端部が第１の部材の前面端部よりも前方に位置する第２の部材と、第２の部材の下方端部側に配置された第３の部材とを備えるのであれば、必ずしも第１の部材（仕切板）、第２の部材（棚板）及び第３の部材（止め板）は、着脱自在に嵌合（連結）されていなくてもよい。
【００３７】
しかし、第１の部材、第２の部材及び第３の部材が、着脱自在に連結されていれば、棚を運ぶ時に分解して運び、再度、組み立てることができるので好ましい。
【００３８】
また、本発明の棚が、互いに略平行に配置された複数の第１の部材と、第１の部材の前面端部から第１の部材の後面端部に向けて下方に傾斜し、第１の部材の前面端部と略直角をなす状態で第１の部材の間に架け渡されると共に、上方端部が第１の部材の前面端部よりも前方に位置する第２の部材と、第２の部材の下方端部側に配置された第３の部材とを備えるのであれば、必ずしも第１の部材は、前面端部に対して略直角であると共に、第２の部材が着脱可能に嵌合する第１の切込み部と、第１の切込み部に対して略直角であると共に、第３の部材が着脱可能に嵌合する第２の切込み部とを有していなくてもよい。
【００３９】
しかし、第１の部材が、前面端部に対して略直角であると共に、第２の部材が着脱可能に嵌合する第１の切込み部と、第１の切込み部に対して略直角であると共に、第３の部材が着脱可能に嵌合する第２の切込み部とを有していれば、第１の部材の第１の切込み部と第２の切込み部に、第２の部材と第３の部材をそれぞれ嵌め込んだり、取外したりするだけで、棚の組立と分解が可能になるので好ましい。
【００４０】
また、図４に示すように、仕切板２の上部には連結穴２Ｃが設けられており、他の仕切板２の下部に取付けられた連結棒５を連結穴２Ｃに差し込むことで、縦方向に、本発明の棚を増設することができる。
なお、仕切板を縦方向に連結できるのであれば、連結方法は、このような連結棒を用いる方法に限定されないことは勿論である。
【００４１】
図５は、本発明の棚に用いられる棚板（ａ）と止め板（ｂ）の一例を示す概略図である。
図５に示すように、棚板３の仕切板２に対応する位置には、切込み部３Ｃが設けられており、また、止め板４の仕切板２に対応する位置にも、切込み部４Ａが設けられている。
【００４２】
そして、仕切板２が有する第１の切込み部２Ｄに、棚板３の切込み部３Ｃを合わせて、棚板３を仕切板２に着脱可能に取付ける。
また、仕切板２が有する第２の切込み部２Ｅに、止め板４の切込み部４Ａを合わせて、止め板４を仕切板２に着脱可能に取付ける。
【００４３】
図６は、本発明の棚の側面同士の連結の一例を示す概略図である。
図４に示した例と同様に、棚板３の側面部には連結穴３Ｄが設けられており、他の棚板３の側面部に取付けられた連結棒５を、連結穴３Ｄに差し込むことで、横方向に、本発明の棚を増設することができる。
【００４４】
図７は、本発明の棚に水平板を取付けた状態を示す概略断面図である。
図７に示すように、本発明の棚１は、仕切板２の間に形成された、本などが置かれる空間に配置されたときに、略水平である支持面を有する水平板（第４の部材の一例である。）６を備える。
【００４５】
図７に示すように、このような水平板６を、本発明の棚１に取付けることで、本発明の棚１を、観葉植物などを置く棚としても使用することができる。
【００４６】
図８は、本発明の棚の他の例を示す概略断面図である。
図８に示す例においても、仕切板２は、棚板３が着脱可能に嵌合した第１の切込み部に対して略直角であると共に、止め板４が着脱可能に嵌合する複数の第２の切込み部２Ｅを有するが、図４に示す例と異なり、仕切板２の間に形成された１つの空間当たり、第２の切込み部２Ｅは複数ある。
【００４７】
図９は、本発明の棚をキャビネット上に設置した状態を示す概略図である。
図９に示すように、本などが収納されるキャビネット７の上面に設置された本発明の棚１を２つ用意し、仕切板２の後面端部同士や、キャビネット７の後面同士を接触させて配置することができる。
【００４８】
また、キャビネット７の前面から後面までの長さは、本発明の棚１の前面から後面までの長さよりも長いので、図９に示すように、本などが平置きされる平置き領域１１がキャビネット７の上面に形成される。
【００４９】
また、キャビネット７は下部にキャスター８を備えているので、本発明の棚１をキャビネット７と共に移動させることが容易である。
【００５０】
図１０は、本発明の棚にＣＤラックを取付けた状態を示す概略図である。
図１０に示すように、本発明の棚１の棚板３に、ＣＤラック９を取付けて、ＣＤやＤＶＤを載せることもできる。
【００５１】
また、ＣＤラック９は、互いに略平行に配置された２段の支持板９Ｂを有しており、ＣＤ等が倒れないように、ＣＤラック９の支持板９Ｂには、複数の溝９Ａが設けられ、ＣＤ等がこの溝９Ａに載せられる。
【００５２】
以上のように、本発明の棚は、第２の部材（棚板）が、第１の部材（仕切板）の前面端部から第１の部材の後面端部に向けて下方に傾斜しているので、最下段の物品例えば本の背表紙まではっきり見えて確認しやすいと共に、最下段の本を出し入れしやすい。
【００５３】
また、第２の部材は、上方端部が第１の部材の前面端部よりも前方に位置するので、表表紙を見せた状態で本の下部を第２の部材に置き、裏表紙を第１の部材の前面端部に寄り掛けて本を立て掛けることができ、また、第２の部材は、第１の部材の前面端部と略直角をなす状態で第１の部材の間に架け渡されるので、立て掛けた本が安定する。
【００５４】
従って、本発明の棚は、前面に物品を安定して展示できると共に展示した物品を効果的に見せることができる。
【００５５】
また、本発明の棚は、表表紙を見せた状態で本の下部を第２の部材に置き、裏表紙を第１の部材の前面端部に寄り掛けて、安定して本を立て掛けることができるので、楽譜など背表紙がほとんどなく、表紙を見ないと識別できない本でも、すぐに見つけることができる。
【００５６】
また、第１の部材の前面端部に表表紙を見せた状態で本を立て掛けることができるので、１冊の本の表紙を見せるためだけに、何冊も載せることができる第１の部材の間に形成された空間にスペースを確保する必要がなく、また、照明も本に当たりやすくなり、本の表紙を見せやすくなる。
このように、従来の棚が、物品例えば本の収納を主としているのに対し、本発明の棚は、物品例えば本の展示を主としている。
【００５７】
また、第２の部材の下方端部側に配置された第３の部材（止め板）によって、第２の部材に載せられた本が第２の部材の下方端部から落下することを防止できる。
【００５８】
また、第１の部材と第１の部材の間の距離は１５０〜２４０ｍｍであるので、第１の部材の間の１つの空間において、自立しない薄い本を１冊しか載せないとしても、第１の部材に寄りかかることができ、本が倒れることはない。
【００５９】
また、このように第１の部材と第１の部材の間の距離が比較的短いので、本などの重みが加わっても、棚板は反りにくい。
【００６０】
また、第３の部材の高さが、互いに略平行に配置された複数の第２の部材の間の間隔よりも小さいので、棚の前面側と後面側の両面側に開口部が形成された状態になって棚を通して向こう側を見ることができ、その結果、開放的であり、圧迫感を与えにくい。
また、このような構成により、背板を備える棚よりも光を遮りにくく、また、第４の部材（水平板）を用いて、本以外に観葉植物などを置いて、インテリア家具としても使用できる。
【００６１】
また、第１の部材が、前面端部に対して略直角であると共に、第２の部材が着脱可能に嵌合する第１の切込み部と、第１の切込み部に対して略直角であると共に、第３の部材が着脱可能に嵌合する第２の切込み部とを有するので、第１の部材の第１の切込み部と第２の切込み部に、第２の部材と第３の部材をそれぞれ嵌め込んだり、取外したりするだけで、棚の組立と分解が可能である。
従って、本発明の棚を組み立てる場合に、工具や接着剤などは不要である。
【００６２】
また、棚の組立と分解が可能であるから、一人で本発明の棚を持ち運ぶことができない場合には、本発明の棚を分解して一人で運ぶことができ、また、二人で本発明の棚を持ち運ぶ場合には、第２の部材の上方端部が第１の部材の前面端部よりも前方に位置している（飛び出している）ので、飛び出した部分を手で持つことができ、持ちやすい。
【００６３】
また、本発明の棚を構成する、仕切板と、棚板と、止め板は、長方形の板であり、それぞれ決められた形に切断加工することで得られるので、棚の製造をオートメーション化しやすい。
【符号の説明】
【００６４】
１    棚
２    仕切板
２Ａ  前面端部
２Ｂ  後面端部
２Ｃ  連結穴
２Ｄ  第１の切込み部
２Ｅ  第２の切込み部
３    棚板
３Ａ  上方端部
３Ｂ  下方端部
３Ｃ  切込み部
３Ｄ  連結穴
４    止め板
４Ａ  切込み部
５    連結棒
６    水平板
７    キャビネット
８    キャスター
９    ＣＤラック
９Ａ  溝
９Ｂ  支持板
１０    立て掛け領域
１１    平置き領域
【図１】
2013022023.tif 000003
【図２】
2013022023.tif 000004
【図３】
2013022023.tif 000005
【図４】
2013022023.tif 000006
【図５】
2013022023.tif 000007
【図６】
2013022023.tif 000008
【図７】
2013022023.tif 000009
【図８】
2013022023.tif 000010
【図９】
2013022023.tif 000011
【図１０】
2013022023.tif 000012
【図１１】
2013022023.tif 000013